(57)【要約】【課題】  回転軸が隔壁を貫通する貫通孔であるシール部を適正にシールし、オイルミストの圧縮室への流入を防止できるターボ型の回転機器を提供する。【解決手段】  シール部Ｓにおける下方の螺旋溝４ＭＤはシール部Ｓのガスを軸受室Ｍ側に付勢する。したがって軸受室Ｍの真空排気量を低減させた状態にしてシール部Ｓの差圧を確保できるので軸受室Ｍからのオイルミストの上昇を抑制できる。またオイルの表面張力による滞留が妨げられる。さらに軸受室Ｍ側に連通する連通路８Ｐを固定側に設けることで、連通路８Ｐはバイパス路として機能し、螺旋溝４ＭＤによる付勢量との連通路８Ｐからの還流量の差に相当するガス流が生じ軸受室Ｍに向けてガスの流れが定量化する。【選択図】          図１
2008202585.tif 000002
【特許請求の範囲】
【請求項１】
回転により室内にガス圧縮を行う回転体を内設した圧縮室と、前記回転体を回転駆動する回転駆動源および回転体と回転駆動源を連結する回転軸と軸受等の駆動系を内設した軸受室を備え、この圧縮室と軸受室を隔壁にて区画するとともに、前記隔壁に回転軸を貫挿する貫通孔を穿設したハウジングを備え、回転駆動源を回転駆動させて回転体を回転させ圧縮機能を行わせる回転機器において、貫通孔の中間部位より下方部位における回転軸の外周面と貫通孔内周面との間に、貫通孔内の流体を貫通孔の下方に向けて付勢する螺旋溝を設けるとともに貫通孔内周面と軸受室側とを連通する連通路を隔壁に設けたことを特徴とする回転機器。
【請求項２】
螺旋溝が隔壁に穿設された貫通孔の内周面に形成されていることを特徴とする請求項１記載の回転機器。
【請求項３】
連通路の軸受室側開口部に潤滑用流体をトラップするフィルタを設けたことを特徴とする請求項１または請求項２記載の回転機器。
【発明の詳細な説明】
【技術分野】
【０００１】
本発明は、たとえば気体レーザ発振器装置におけるガス循環用の電動コンプレッサとしてのブロワあるいは遠心分離機等に適用できるターボ型の回転機器に関する。
【背景技術】
【０００２】
たとえばフロー型二酸化炭素ガスレーザ発振器装置の場合、炭酸ガスと他のガスの混合ガスを流しながら圧縮し、レーザ発振器に供給して共振させるようになっており、装置内にガス循環回路が構成されている。その循環回路の構成における一要素のブロワとしてターボ翼を高速で回転させてガスを圧縮し、レーザ発振器に供給するターボ型の回転機器が使用されている。以下背景技術をこのターボ型の回転機器を例として説明する。
【０００３】
この種ターボ型の回転機器は、ハウジング内の上方にターボ翼が回転可能に配設され、ガスを圧縮して排出する機構を設けるとともに、下方にはこのターボ翼（回転子）を高速回転駆動させる回転駆動源(たとえば電動機、以下モータと略称する)が配設されている。そして、このモータの回転子とターボ翼ならびに回転軸等からなる回転体は、機械的な軸受で軸支され、オイルによる潤滑手段が併設されている。（特許文献１参照）。
【０００４】
このターボ型の回転機器の構成は図５に示すとおりである。図５は概略的に示す縦断面図で、ハウジング１の内方でその上方にターボ翼７が回転可能に配設されるとともに下方にはこのターボ翼７を高速回転駆動させる回転駆動源モータ２が配設され、両者が回転軸４にて連結されている。このモータ２はハウジング１の側に固設された電極コイル２Ｋと、この電極コイル２Ｋに対応して回転軸４に固設された回転子２Ｍで構成され、電極コイル２Ｋにインバータ３から電気エネルギーが供給される。
【０００５】
回転軸４は上部軸受５と下部軸受６を介してハウジング１に対し、回転可能に保持されているが、この回転軸４の上方に形成された取付軸４Ｓにターボ翼７が固設されている。このモータ２と回転子２Ｍおよび回転軸４からなる回転体が、軸受機構を構成する上部軸受５と下部軸受６に保持されている。なお、この上部軸受５と下部軸受６は軸受室Ｍ内に配設されている
ターボ翼７がモータ２によって高速回転駆動されると、ガスは吸気口１Ｋから吸入され、圧縮されて排気口１Ｈより排出される。この吸気口１Ｋから排気口１Ｈまでがガス圧縮を行う圧縮室Ｃを形成する。この排気口１Ｈからのガスは上記したようにガス循環回路（図示せず）を経てレーザ発振器（図示せず）に供給される。
【０００６】
ところで、回転軸４には図５に示すとおり、軸心上に中空孔４Ｈが形成されているが、この中空孔４Ｈの下方部は内孔が上方拡がりのテーパ状をなし、この下方部位が潤滑用のオイルＬ内に浸漬されている。したがって、中空孔４Ｈの下方域に侵入している潤滑用のオイルＬは、回転軸４の回転による遠心力の作用を受けて中空孔４Ｈの内方を上方に移動し、この作用で中空孔４Ｈはポンプ機能を生起する。こうして潤滑用のオイルＬは順次上方へ送り出され、射出孔４Ｔより外方に放出されてモータ２の冷却や上部軸受５と下部軸受６の潤滑を行う。潤滑や冷却を終えた潤滑用のオイルＬは再び下方のオイル槽１Ｙに溜められ、再び吸い上げられて循環することになる。
【０００７】
このように潤滑用のオイルＬは、循環して上部軸受５や下部軸受６の潤滑を行うが、この潤滑によって特に軸受室Ｍ内には噴霧状のオイルＬ（オイルミスト）が存在し浮遊することになる。軸受室Ｍにおける噴霧状のオイルＬの存在は、上部軸受５と下部軸受６等における潤滑を良好にするが、このオイルミストが圧縮室Ｃに流入するとレーザ発振器などに流入し、レーザの発振機能を低下させる。
【０００８】
このことから圧縮室Ｃと軸受室Ｍとは、ハウジング１ないしハウジング１と一体の部材からなる隔壁８にて遮断されるようになっている。すなわち、ハウジング１には上部軸受５の上方位置において回転軸４が非接触で貫通できる貫通孔８Ａが穿設され、回転軸４と協働してシール部Ｓが形成されている。このシール部Ｓはたとえば図示していないがラビリンスシール等が適用される。このシール部Ｓは、回転軸４と貫通部との間隙は通常数１０ミクロンに設定されている。ラビリンスシール以外にも、数１０ミクロンの微小な平行隙間に設定されたガスシールも採用されている。なお、９は軸受保持部材であり、９Ｈは貫通孔である。
【０００９】
このように、特にレーザ発振器に利用されるターボ型の回転機器においてはオイルＬのミスト（ガス）の存在と対策が重要であるが、ミストの発生源であるオイルＬの存在も無視できない。特に回転軸４の射出孔４Ｔから放出されるオイルＬが上方のシール部Ｓに至るのをなるべくさける必要がある。そのために後述するように上記シール部Ｓにガスの流れを付勢する手段を設ける工夫が提案されている。この工夫は図４に示されている。
【００１０】
すなわち図４は、図５におけるターボ型の回転機器において、回転軸４が貫通孔を貫通する部位に螺旋溝４Ｍを設けたものである。この螺旋溝の詳細は図３に示されている。螺旋溝４Ｍは圧縮室Ｃから軸受室Ｍへの流体の流れを付勢するための流体付勢領域ＡＥを形成するものである。具体的には回転軸４が矢印方向に回転駆動されるとき、螺旋溝４Ｍの溝間隔の流体は下方へと移動する。すなわち螺旋溝４Ｍはガスを含む流体を軸受室Ｍ側へ付勢する螺旋溝である。
【００１１】
このようにしてオイルミストを含むガスが圧縮室Ｃ側に流入することは阻止される。なお、図３、図４において図５と同一の符号で示される部品については図５の部品と同一で同様の機能を有するものであり、これら各部品の作動の詳細な説明は省略する。
なお、シール部Ｓと軸受保持部材９は図５に示すボルト１１を介してハウジング１に固定されている。
【特許文献１】特開２０００−２０９８１５号公報（第１−３頁、第１図−第８図）
【発明の開示】
【発明が解決しようとする課題】
【００１２】
圧縮室Ｃと軸受室Ｍとを区画する隔壁８のシール機構については、つぎのような問題を有している。まずラビリンスシール方式では、運転中の回転体の振れにより隔壁８における貫通孔８Ａ側と回転軸４との接触を防止するため、貫通孔８Ａの回転軸４側に対する同心性は強く求められており厳しいが、そのためにターボ型の回転機器の組立時の同心確認、調整は容易ではない。また、部品間のはめあい精度により決める場合には、関わる複数の部品の同心および加工精度の要求値が厳しくなるとともに、一方で、隙間の低減に対しても限界が設定されている。
【００１３】
したがって、隙間が広がると運用中のシール部Ｓの真空引き量が増加し、レーザ発振器のブロアとして使用する場合、消費レーザガス量の増加、ランニングコストアップとなる。また、このシール機構をラビリンスシールで構成する場合、加工が複雑であり、回転軸４の一部に加工を施すことは、コスト面運用面でも問題であり、別部品とせざるを得ないのが実情である。他方、螺旋溝方式の場合は螺旋溝の能力が優れることでガスの消費量が増加(ランニングコストが増加)するという問題がある。
【課題を解決するための手段】
【００１４】
本発明が提供するターボ型の回転機器は、上記課題を解決するために圧縮室と軸受室の隔壁を貫通する部位であって貫通孔の中間部位より下方位における回転軸の外周面と貫通孔内周面との間に螺旋溝を形成するとともに貫通孔内周面と軸受室側とを連通する連通路を隔壁に設けたものである。
【００１５】
そして本発明が第２に提供するターボ型の回転機器は、螺旋溝の方向がガス付勢を貫通孔下方に付勢するよう形成されている。したがって差圧変動を小さくすることができる。
【００１６】
さらに本発明が第３に提供するターボ型の回転機器は、螺旋溝が貫通孔の内周面に形成されたものであり、構成が簡略化される。さらに本発明が第４に提供するターボ型の回転機器は、連通路の軸受室側に潤滑用流体をトラップするフィルタを設けたものであり、流体付勢領域オイルミストの流入は阻止できかつガスは連通路を流れるのでガスの付勢機能は保障される。
【発明の効果】
【００１７】
シール内でのオイルの滞留さらにはシール内に侵入したオイルがシールを埋めることを防止することができる。またオイルは下方に付勢されるのでオイルが圧縮室Ｃの方向に逆流することはない。すなわち真空排気量を低減することができる。
【発明を実施するための最良の形態】
【００１８】
本発明の第１の特徴は、回転軸が隔壁を貫通する貫通孔の部位における貫通孔と回転軸の外周との間であって貫通孔の中間部位より下方位にのみ螺旋溝を形成する構成とした点である。しかもこの螺旋溝は回転軸の回転によって流体を下方に付勢する。さらに本発明の第２の特徴は前記螺旋溝形成によるシール部位と軸受室を連通させる連通路を合わせ設けた点であり、しかもこの連通路の軸受室側開口部にフィルタが付設されている点を第３の特徴としている。
したがって本発明としてはこれらの特徴をともに備えたターボ型の回転機器が最良の形態である。
【実施例１】
【００１９】
本実施例は図１に示される。図１は回転軸４が隔壁８を貫通する部位を拡大して示す断面図で、図１において図３と同一の符号で示される部品は図３における符号の部品と同一の機能を有するものであり、これらの符号の部品についての詳細な説明は省略する。
図１において８Ｐが隔壁８に穿設された連通路で、軸受室Ｍへの開口部にはフィルタＦが設置されている。他方の開口は螺旋溝４ＭＤの上端部位に対応している。
【００２０】
螺旋溝４ＭＤの部位では、螺旋によりシール機構が有効に働くとともに、貫通孔８Ａ部位における回転軸４のみで螺旋溝が形成されていないシール部Ｓとの協働による圧縮室Ｃからのガス流入量は、軸受室Ｍからの真空排気量と連通路８Ｐから還流されるガス流量との差に相当する。これは軸受室Ｍ側から連通する連通路８Ｐを静止側に備えることでバイパス流路となり、螺旋溝効果により下方へのガス流れが過剰になった場合においても、連通路８Ｐからガスのバイパス流で、圧縮室Ｃから下方へのガス流量の定量化が図られ、シール部Ｓの上面へのオイルの逆流を防ぐことができる。
【００２１】
上記の機能によって、ターボ型の回転機器がガス圧縮機として作動するとき、シール部Ｓにおける螺旋溝４ＭＤの回転によって流体付勢領域ＡＥでは下方へのガスの流れが付勢される。この場合、螺旋溝４ＭＤが形成されていない貫通孔部位の上位における回転軸周面部４Ｆは、後述するとおり流体の下方への流れを案内すべく機能する。その結果圧縮室内へのオイルミストの流入が防止される。なお、ターボ型の回転機器の起動前において侵入したオイルは、軸受室Ｍにて掻き出される。そして螺旋溝４ＭＤにより積極的に下方にガスが生じることで螺旋溝内を通過し軸受の部屋すなわち軸受室Ｍ側から連通路８Ｐを介して連通する連通路８Ｐを介して静止側に備えることで、連通路８Ｐ内を軸受室Ｍから螺旋溝４ＭＤが存在するシール部Ｓ内に侵入したオイルが螺旋溝４ＭＤの存在によって積極的にその下方に流動させられる。この機能によって、連通路８Ｐを経てシール部Ｓに流入したオイルが、圧縮室Ｃに流入するのを防ぎ、連通路８Ｐからのガスの供給により、全体のガス消費量を抑制することができる。
【００２２】
このことから、図４、図５に示すように軸受室Ｍの下方部に排気パイプＲが備えられた場合、運転中のガス真空排気流量を制御できる。このことはランニングコストの低減につながる。シール部Ｓの隙間においては、ガスのみを通過させ、オイルミストをトラップすることは極めて困難であるが、軸受室Ｍから連通する静止側内の連通路あるいは下部にオイルトラップを備えることで容易にガスのみを通過させ、オイルトラップすることができる。
【００２３】
したがって連通路８Ｐを介してオイルがシール部Ｓ内に侵入することを防止できる。螺旋溝４ＭＤにおいては、その回転によってオイルは螺旋溝４ＭＤにおけるオイルが順次周方向で移動するためオイルによる表面張力による滞留が防げる。図２は貫通孔８Ａの内周面側で中間より下方域に螺旋溝８ＭＤを設けた例で機能は図１と同じである。
【００２４】
本発明が提供するターボ型の回転機器の特徴は以上詳述したとおりであるが、上記ならびに図示例に限定されるものではない。特に連通路８Ｐの形状については図示例のようにＬ字形に必ずしなければならないということではなく、たとえば図示例の両開口を直線で結ぶこともできる。さらにこの両方側にそれぞれ１個のＬ字形連通路８Ｐを設けることもできる。本発明はこれら変形例をすべて包含するものである。
【図面の簡単な説明】
【００２５】
【図１】本発明が提供するターボ型の回転機器の要部の構成を示す縦断面図である。
【図２】本発明が提供するターボ型の回転機器の要部の構成を示す縦断面図である。
【図３】本発明が提供するターボ型の回転機器の要部を拡大して示す縦断面図である。
【図４】従来におけるターボ型の回転機器のターボ翼の取付部である回転軸に改良を加えた構成を示す図である。
【図５】従来におけるターボ型の回転機器の構成を概略的に示す図である。
【符号の説明】
【００２６】
１  ハウジング
１Ｋ  吸気口
１Ｈ  排気口
１Ｙ  オイル槽
２  モータ
２Ｋ  電極コイル
２Ｍ  回転子
３  インバータ
４  回転軸
４Ｆ  回転軸周面部
４Ｈ  中空孔
４Ｍ  螺旋溝
４ＭＤ  螺旋溝
４Ｓ  取付軸
４Ｔ  射出孔
５  上部軸受
６  下部軸受
７  ターボ翼
８  隔壁
８Ａ  貫通孔
８ＭＤ  螺旋溝
８Ｐ  連通路
９  軸受保持部材
９Ｈ  貫通孔
１１  ボルト
ＡＥ  流体付勢領域
Ｃ  圧縮室
Ｆ  フィルタ
Ｌ  オイル
Ｍ  軸受室
Ｓ  シール部
Ｒ  排気パイプ
【図１】
2008202585.tif 000003
【図２】
2008202585.tif 000004
【図３】
2008202585.tif 000005
【図４】
2008202585.tif 000006
【図５】
2008202585.tif 000007